(57)【要約】【課題】建造物の管理人室などで、簡易な構成で、エレベータやエスカレータの運行状態を把握する。【解決手段】エレベータのかご内や、エスカレータの近傍に備えられたインターホンの子機と通話するために管理人室等に設置された親機１０に、エレベータ等の運行状態を表示する運行状態表示部１８を設ける。運行状態表示部１８は、現在の運行状態をＬＥＤ等の光源で照明して、表示を行う。インターホンの親機１０に運行状態表示部１８を組み込んだことにより、監視盤を設けずインターホンのみしか設置しないような小規模な建造物においても、エレベータの運行状態を把握することができる。【選択図】図１
2007186276.tif 000002
【特許請求の範囲】
【請求項１】
昇降設備の昇降機またはその近傍に備えられた子機との間で通話するためのインターホンの親機であって、
親機の本体ケースに、昇降機の運行状態を表示する運行状態表示部が設けられた、昇降設備のインターホンの親機。
【請求項２】
請求項１に記載の昇降設備のインターホンの親機であって、昇降設備はエレベータであり、昇降機はエレベータのかごであって、子機はかご内に備えられている、昇降設備のインターホンの親機。
【請求項３】
請求項１に記載の昇降設備のインターホンの親機であって、運行状態表示部は、親機の本体ケースの送受話器を載置する部分の側方に配置される、昇降設備のインターホンの親機。
【請求項４】
請求項３に記載の昇降設備のインターホンの親機であって、さらに、所定の子機と通話可能な状態とするための通話選択部を有し、通話選択部は前記運行状態表示部の下方に配置される、昇降設備のインターホンの親機。
【請求項５】
請求項３または４に記載の昇降設備のインターホンの親機であって、親機本体の高さは、送受話器とほぼ等しく、幅は送受話器の２倍以下である、昇降設備のインターホンの親機。
【発明の詳細な説明】
【技術分野】
【０００１】
本発明は、エレベータやエスカレータなどの昇降設備に備えられたインターホンに関する。特に、エレベータのかご等に備えられたインターホンの子機と通話するために、当該昇降設備が設置された建造物や施設に設けられたインターホンの親機に関する。
【背景技術】
【０００２】
エレベータのかごには、緊急時などにかご外部との連絡をとるために、インターホンが設けられている。インターホンの子機がかご内部に備えられ、親機は、このエレベータの設置された建造物や施設の管理人室などに備えられる。エレベータに異常があった場合など、搭乗者と管理人が通話できるようにしている。１〜２台程度の少数のエレベータが設置された建造物などにおいては、管理人室に、電話機のような、本体と送受話器からなるインターホンの親機を設置することが多い。エレベータの台数が、これより多くなると、それぞれのエレベータの運行状況を表示したり、エレベータの運転の手動操作等を行う監視盤が管理人室等に設置されることが多くなる。
【０００３】
また、エスカレータにも、エスカレータの近傍にインターホンの子機が設置され、管理人室などの親機と通話ができるようにしている。
【０００４】
管理人室などに設置されるインターホンの親機の例が下記非特許文献１に記載されている。
【０００５】
【非特許文献１】「エレベータ用インターホン（広告）」、エレベータ界、（社）日本エレベータ協会、平成５年１月１日、第２８巻、第１０９号（１月号）、巻頭広告ｐ．１０下段
【発明の開示】
【発明が解決しようとする課題】
【０００６】
前述のように、１，２台程度のエレベータが設置された比較的小規模な建造物においては、高価となる、スペースがないなどの理由から監視盤は設置されず、インターホンのみ設置されることが多い。よって、かご内との通話は確保されるが、エレベータの運行状態は把握できなかった。小規模な建造物の場合であっても、エレベータの運行状態を把握したいという要求がある。
【０００７】
本発明は、小規模な建造物などであっても、管理人室などでエレベータの運行状態を把握できるようにすることを目的とする。
【課題を解決するための手段】
【０００８】
本発明は、エレベータやエスカレータの昇降設備で用いられるインターホンにおいて、管理人室などに備えられた親機の本体ケースに、エレベータ等の運行状態を表示する表示部を設けている。
【０００９】
運行状態の表示部は、親機本体ケースの送受話器を載置する部分の側方に配置することができる。
【００１０】
さらに、所定の子機と通話可能な状態とするための通話選択部を運行状態の表示部の下方に配置することができる。
【００１１】
さらに、親機本体の高さ方向の寸法は送受話器とほぼ等しくし、幅方向の寸法は、運行状態の表示部の配置スペースを考慮した上で、送受話器の幅の２倍以下とすることができる。
【発明の効果】
【００１２】
インターホンに運行状態を表示する表示部を設けたので、監視盤等を設置しない小規模な建造物においても、エレベータの運行状態を把握することができる。また、監視盤等を設けるより安価となり、また従来のインターホンと同程度のスペースに設置できる。
【発明を実施するための最良の形態】
【００１３】
以下、本発明の実施形態を、図面に従って説明する。図１〜３は、本実施形態のエレベータのインターホンの親機１０の外観を示す図である。この親機は、エレベータが設置された建造物の管理人室等に設置され、エレベータの設置数が１台の建造物に対応したものである。この親機１０に対応する子機は、エレベータのかごに備えられている。本実施形態は、エレベータ用のインターホンであり、以下これについて説明するが、エスカレータなどの他の昇降設備に設けられたインターホンについても表示文字を変更することで本実施形態を同様に使用することができる。
【００１４】
図１は、エレベータのインターホンの親機（以下、親機と記す）１０の正面図、図２は平面図、図３は右側面図である。親機１０は、壁に掛けて設置することも、また机等の台上に載置して設置することも可能である。以下においては、壁掛け使用される場合について説明し、上下等の方向は、この使用状態における方向を意味する。
【００１５】
本体１２の左側部分には、送受話器１４を掛ける送受話器掛け部１６が設けられ、右側には、エレベータの運行状態を表示する運行状態表示部１８と、通話の相手機を選択するための通話選択部２０とが設けられている。また、運行状態表示部１８の上には、このインターホンがエレベータ用のものであることを示す設備表示部２２が配置され、下方にはブザーを停止するためのブザー停止ボタン２４が配置されている。
【００１６】
本体１２の高さ方向の寸法は、送受話器１４とほぼ等しい大きさであり、さらに詳しくは、送受話器の寸法に対し、約１．０５倍の寸法となっている。また、幅方向の寸法は、送受話器１４の幅の約２倍となっている。幅方向の寸法は、運行状態表示部１８や通話選択部２０を配置するのに十分な寸法が確保されればよく、２倍以下とすることも好適である。本体１２は、壁側のベースケース１３ａと、正面側の正面ケース１３ｂを合わせて形成され、内部に後述する回路基板等が配置されている。二つのケース１３ａ，１３ｂは、樹脂製であり、それぞれに一体成型されている。
【００１７】
運行状態表示部１８は、運転灯２６、故障灯２８、地震運転灯３０、火災運転灯３２、停電運転灯３４、完了灯３６を含んでいる。これらの表示部は、それぞれの表示部の裏側に配置されているＬＥＤ等の発光素子が点灯して運行状態を知らせるものである。エレベータの運行状態が管理人室で把握できるので、エレベータが災害運転中や、緊急停止時において、表示を見て管理人室からエレベータかご内に現在の状況を伝達することができる。
【００１８】
運転灯２６は、エレベータが運行状態にあるときに点灯し、点検などによりエレベータを運行できない状態（休止状態）であるときには消灯する。運行状態は、実際にかごが動いてる状態と、利用者がおらず、利用者に呼び出されるのを待っている状態を含む。言い換えれば、運行状態とは、エレベータが利用されているか、または利用可能な状態である。このような運行状態において、運転灯２６が点灯していることにより、インターホンの親機１０に電源が供給されていることが確認できる。
【００１９】
故障灯２８は、エレベータに何らかの異常が生じ、安全装置が作動した場合に点灯する。故障信号は、エレベータの機械室に設置された制御装置から入力される。故障灯の点灯と同時に内蔵のブザー５４（図４参照）を鳴動させる。従来、故障灯２８が備えられていない場合、エレベータ側から故障を知らせるベルが鳴動しても、音だけでは、この発報元をなかなか特定できなかった。また、発報元がエレベータであると推測できても、従来の通話機能だけのインターホンでは、発報元の設備を確定するのに時間を要した。しかし、故障灯２８を設け、故障時にこれを点灯させることで、ベルの鳴動があった場合、直ちにエレベータの故障かどうかが認識でき、エレベータ利用者に対して現在の状況を説明することができる。
【００２０】
地震運転灯３０は、地震が検知され、地震管制運転中である場合に点灯する。地震管制運転中を示す信号は、エレベータの機械室に設置された制御装置から入力される。地震管制運転は、地震が検知されたときに、あらかじめ設定された階にかごを着床させる運転である。管理人室にて地震管制運転中であることが確認できるため、地震後、エレベータが地震管制下で運転しているのか否かを速やかに知ることができ、エレベータの利用者等に直ちに現在の状態を説明することができる。
【００２１】
火災運転灯３２は、火災が検知され、火災管制運転中である場合に点灯する。火災管制運転中を示す信号は、エレベータの機械室に設置された制御装置から入力される。火災管制運転は、火災が検知されたとき、あらかじめ設定された階にかごを着床させる運転である。管理人室にて火災管制運転中であることが確認できるため、火災発生後、火災管制下で、運転しているのか否かを速やかに知ることができ、エレベータの利用者等に直ちに現在の状態を説明することができる。
【００２２】
停電運転灯３４は、停電が検知され、停電管制運転中である場合に点灯する。停電管制運転を示す信号は、エレベータの機械室に設置された制御装置から入力される。停電管制運転は、停電が検知されたとき、所定の階にかごを着床させる運転である。管理人室にて停電管制運転中であることができるため、現在の状況を速やかに把握することができ、エレベータの利用者に直ちにこれを説明することができる。
【００２３】
完了灯３６は、上記の各管制運転が所定の動作の後、終了したときに点灯する。例えば地震管制運転により、エレベータのかごが、あらかじめ定められた階に着床し、ドアを開放すると、完了灯３６が点灯する。完了灯３６の点灯により、エレベータが所定の動作を行ったことを、管理人室で確認することができる。
【００２４】
通話選択部２０は、選択ボタン３８と、話中表示灯４０、被呼出表示灯４２を有している。この実施形態においては、１台のエレベータに対応する親機１０の例が示されている。管理人室等に設置された親機１０の相手として、かご内の子機、エレベータ機械室の親機の二箇所の相手と通話が選択可能となっている。選択ボタン３８と話中表示灯４０、被呼出表示灯４２は、２セット設けられ、一方がかご内子機、他方が機械室親機に対応し、選択ボタン３８を押下することで、通話の相手を選択することができる。本体１２の表面に、選択ボタン３８に書かれた「１」「２」の番号と、相手方の子機または親機の場所とを対応させた表を記したシール等を貼ることにより、通話相手と選択ボタン３８の対応が分かるようにすることが望ましい。話中表示灯４０は、通話中に緑色に点灯し、現在通話中の相手機を示す。被呼出表示灯４２は、呼出しが、どの相手機からのものであるかを表示するもので、ブザーの鳴動と共に赤色に点灯する。選択ボタン３８を押下することで、被呼出表示灯４２は消灯し、話中表示灯４０が点灯する。通話終了時には、送受話器１４をおくことで、相手機との接続が遮断される。２台のエレベータおよび２台それぞれに機械室を有する設備に対応した親機１０の場合には、２台のかご内子機、２台の機械室親機の計４台の相手機を選択するため、選択ボタン３８等を４セット設ける。また、２台に対して機械室が一つの場合には、選択ボタン３８等を３セット設けるか、または上記の４セットの内、一つを使用しないようにする。さらに、機械室を持たない１台のエレベータ設備の場合、相手機は、かご内の子機のみとなるが、この場合であっても選択ボタン３８を設けることが好ましい。
【００２５】
図４は、本実施形態のインターホンの概略回路構成を示すブロック図である。既出の構成については同一の符号を付し、説明を省略する。前述のようにエレベータ用インターホンの親機１０は、管理人室に設置される。かご内には子機４４が設置され、機械室には機械室親機４６が設置される。親機１０、かご内子機４４および機械室親機４６は、同一系統の２回線で構成され、電源線４８と通話回線５０の６線により接続されている。親機１０、かご内子機４４、機械室親機４６の電源は、この電源線４８上の任意の箇所に設置された電源装置５６から供給される。
【００２６】
昇降設備には、エレベータの運行を制御する昇降機制御盤５８が設けられている。制御盤５８は、通常の運転制御および故障、地震、火災、停電等の異常時の運転制御を司る。そして、それぞれの制御において、所定の信号を出力し、これが親機１０に送出される。通常運転時には、信号６０が出力され、親機１０の運転灯２６が点灯される。また、故障信号６２が出力されると、故障灯２８が点灯され、さらにブザー５４が鳴動する。地震、火災、停電のそれぞれの管制運転においても、同様に信号６４，６６，６８が出力されると、対応する地震灯３０、火災灯３２、停電運転灯３４が点灯する。完了灯３６においても、信号７０の出力により点灯される。運転灯２６等のＬＥＤの電源も、任意の箇所に設置された電源装置５６から電源線４８によって供給される。
【００２７】
親機１０には、通話回路等が構成された回路基板７２が設けられている。この回路基板７２上に、前述のブザー５４が実装される。このブザー５４は、かご内の子機４４からの呼出し時、故障運転中の双方において使用される。運行状態表示部１８のＬＥＤ、通話選択部２０のスイッチおよびＬＥＤ、ブザー停止ボタン２４のスイッチは、運行状態表示部１８および通話選択部２０の本体内側に設けられた操作基板上に実装される。この操作基板と前述の回路基板７２の基板は別の基板となっている。
【００２８】
本実施形態においては、単に、運転灯２６の点灯をもって通常運転中を表示したが、かごの上昇、下降を示すマークの表示、現在の位置を示す階数表示等をして運転中の表示とすることもできる。
【００２９】
以上、本実施形態においては、エレベータ用のインターホンの親機に、エレベータの運行状態を表示するようにしたので、管理人室にインターホンの親機しか設置しない簡易な設備の場合であっても、管理人室において、エレベータの運行状態を把握することができる。運行状態を把握することで、早急に対応をとることができる。例えば、故障を知らせるブザーが鳴動したときに、故障灯も併せて点灯することで、このブザーがエレベータの故障を知らせるものであることが、すぐに理解でき、エレベータの搭乗者や、維持管理業者に速やかに知らせることができる。
【図面の簡単な説明】
【００３０】
【図１】本実施形態のエレベータ用インターホンの親機の正面図である。
【図２】本実施形態の親機の平面図である。
【図３】本実施形態の親機の右側面図である。
【図４】本実施形態のエレベータ用インターホンの回路構成を示すブロック図である。
【符号の説明】
【００３１】
１０  親機、１２  本体、１４  送受話器、１８  運行状態表示部、２０  通話選択部、４４  子機、４６  機械室親機、５２  呼出ボタン、５４  ブザー、５８  昇降機制御盤。
【図１】
2007186276.tif 000003
【図２】
2007186276.tif 000004
【図３】
2007186276.tif 000005
【図４】
2007186276.tif 000006